(57)【要約】【課題】揮発性有機化合物などの可燃性有害成分を含有する排ガスを燃焼処理するとともに燃焼処理によって発生した熱を前記排ガスの予備加熱に再利用する蓄熱燃焼式排ガス浄化装置の運転制御方法において、排ガスの可燃性有害成分の含有濃度が所定値より高い場合、蓄熱燃焼式排ガス浄化装置の運転を適切に制御することができるようにする。【解決手段】未処理の前記排ガスの可燃性有害成分含有濃度が所定値より高い時にはこの排ガスを前記蓄熱燃焼式排ガス浄化装置に供給せずに大気中に放出するするとともに前記蓄熱燃焼式排ガス浄化装置を待機運転あるいはアフターパージ運転後停止することが可能であることを特徴とする。【選択図】図１
2004150681.tif 000002
【特許請求の範囲】
【請求項１】
揮発性有機化合物などの可燃性有害成分を含有する排ガスを燃焼処理するとともに燃焼処理によって発生した熱を前記排ガスの予備加熱に再利用する蓄熱燃焼式排ガス浄化装置の運転制御方法であって、
未処理の前記排ガスの可燃性有害成分含有濃度が所定値より高い時にはこの排ガスを前記蓄熱燃焼式排ガス浄化装置に供給せずに大気中に放出するとともに前記蓄熱燃焼式排ガス浄化装置を待機運転あるいはアフターパージ運転後停止するが可能であることを特徴とする蓄熱燃焼式排ガス浄化装置の運転制御方法。
【請求項２】
揮発性有機化合物などの可燃性有害成分を含有する排ガスを燃焼処理するとともに燃焼処理によって発生した熱を前記排ガスの予備加熱に再利用する蓄熱燃焼式排ガス浄化装置の運転制御装置であって、
前記蓄熱燃焼式排ガス浄化装置の排ガス供給孔に、未処理の前記排ガスの可燃性有害成分含有濃度が所定値より高い時にはこの排ガスを前記蓄熱燃焼式排ガス浄化装置に供給せずに大気中に放出する機能を有する排ガス給排選別手段を設けたことを特徴とする蓄熱燃焼式排ガス浄化装置。
【発明の詳細な説明】
【０００１】
【発明の属する技術分野】
本発明は、蓄熱燃焼式排ガス浄化装置の運転制御方法およびその装置に係り、より詳しくは揮発性有機化合物などの可燃性有害成分を含有する排ガスを燃焼処理するとともに燃焼処理によって発生した熱を前記排ガスの予備加熱に再利用する蓄熱燃焼式排ガス浄化装置の運転制御方法およびその装置に関する。
【０００２】
【従来の技術】
従来、  揮発性有機化合物などの可燃性有害成分を含有する排ガスを燃焼処理するとともに燃焼処理によって発生した熱を前記排ガスの予備加熱に再利用する蓄熱燃焼式排ガス浄化装置がある（例えば、特許文献１参照）。
【０００３】
【特許文献１】
特開昭５４−１２８１７１公報
【０００４】
しかし、このよう構成された従来の蓄熱燃焼式排ガス浄化装置においては、可燃性有害成分の含有濃度が濃い排ガスを供給すると、この排ガスの燃焼による発熱量の増加により燃焼室内の温度が上昇するため、燃焼室に開度調節可能なダンパとバイパスダクトを設置することにより、燃焼室内の温度測定結果を前記ダンパの開度制御にフィードバックし、燃焼室内の処理済高温エアの一部を蓄熱層を通過させることなく燃焼室より直接排出することにより燃焼室内の温度を安定化させる方法が実施されている。しかしながら、さらに高濃度（例えば爆発下限界の１／４濃度以上）の可燃性有害成分を含む排ガスを処理する場合、爆発する危険性が高くなるため、安全上の観点から排ガス処理を一時中止しなければならないが、上記燃焼室内の温度計測及びダンパによる温度制御のみでは爆発の危険性を排除した運転制御を実施できないなどの問題があった。
【０００５】
本発明は、上記の問題を解消するために成されたもので、その目的は、排ガスの可燃性有害成分の含有濃度が所定値より高い場合、蓄熱燃焼式排ガス浄化装置の運転を適切に制御することができる方法およびその装置を提供することにある。
【０００６】
【課題を解決するための手段】
上記の目的を達成するために本発明における蓄熱燃焼式排ガス浄化装置に対する排ガス給排方法は、揮発性有機化合物などの可燃性有害成分を含有する排ガスを燃焼処理するとともに燃焼処理によって発生した熱を前記排ガスの予備加熱に再利用する蓄熱燃焼式排ガス浄化装置の運転制御方法であって、未処理の前記排ガスの可燃性有害成分含有濃度が所定値より高い時にはこの排ガスを前記蓄熱燃焼式排ガス浄化装置に供給せずに大気中に放出するとともに前記蓄熱燃焼式排ガス浄化装置を待機運転あるいはアフターパージ運転後停止することが可能であることを特徴とする。
【０００７】
【発明の実施の形態】
以下、本発明を適用した排ガス処理設備の一実施例について図１に基づき詳細に説明する。本排ガス処理設備は、揮発性有機化合物などの可燃性有害成分を含有する排ガスを燃焼処理するとともに燃焼処理によって発生した熱を前記排ガスの予備加熱に再利用する蓄熱燃焼式排ガス浄化装置１と、この蓄熱燃焼式排ガス浄化装置１の排ガス供給孔２に接続されて、未処理の排ガスの可燃性有害成分含有濃度が所定値より高い時にはこの排ガスを前記蓄熱燃焼式排ガス浄化装置１に供給せずに大気中に放出する機能を有する排ガス給排選別手段３とで、構成してある。
【０００８】
そして、この排ガス給排選別手段３においては、揮発性有機化合物などの可燃性有害成分を含有する排ガスが発生する排ガス発生装置（図示せず）と連通するダクト４の先端に送風機５の吸引口が接続してあり、送風機５の放出口にはダクト６の一端が接続してある。ダクト６の他端には分岐ダクト７の一端が接続してあり、分岐ダクト７の２つの他端には２個の電磁作動式ダンパ８・９がそれぞれ接続してある。他方の電磁作動式ダンパ９はダクト１０および送風機１１を介して前記蓄熱燃焼式酸化装置１の供給孔２に接続してある。
【０００９】
また、前記ダクト６における前記送風機５寄り位置には排ガスの可燃性有害成分の含有濃度を測定する濃度測定計１２が装着してあり、前記濃度測定計１２装着部以降分岐ダクト７までのダクト長さは濃度測定時間中に排ガスが吸引される移動距離に対して十分な長さがあり、濃度測定計１２は、制御盤（図示せず）を介して前記電磁作動式ダンパ８・９にそれぞれ電気的に接続してある。また、前記ダクト４にはダンパ１３を介して大気が接続してあり、前記ダクト１０はダンパ１４を介して大気に接続してある。
【００１０】
なお、図中符号１５は前記蓄熱燃焼式排ガス浄化装置１の燃焼室に接続されて処理済の排ガスを排出するためのダンパであり、燃焼熱により燃焼室内のガス温度が上昇して燃焼室内のガス温度が所定値以上（例えば、８５０℃以上）になると、ダンパ１５が適宜開かれて高温エアの一部が燃焼室内から大気中に排出される。
【００１１】
このように構成されたものは、処理するために未処理の排ガスを給排選別手段３のダクト４に誘導すると、ダンパ１３からの大気の吹込みによって可燃性有害成分含有濃度が蓄熱燃焼式酸化装置１で処理可能な濃度（例えば、爆発下限界濃度の１／４）以下に希釈され、排ガスは給排選別手段３の送風機５により吸引された後ダクト６内に排出され、続いて、濃度測定計１２によってその可燃性有害成分含有濃度が測定される。濃度測定の結果、その濃度が所定の範囲内にある通常の場合には、電磁作動式ダンパ８が閉じられるとともに電磁作動式ダンパ９が開けられて、未処理の排ガスは給排選別手段３のダクト１０内を通過した後送風機５１１によって蓄熱燃焼式酸化装置１の排ガス供給孔２に送り込まれる。
【００１２】
他方、吸引状態の変動などにより未処理の排ガス中の可燃性有害成分含有濃度が極めて高く、全開のダンパ１３からの大気の吹込みによっても濃度測定計１２による濃度測定の結果、可燃性有害成分含有濃度が設定濃度以上（例えば、爆発下限界濃度の１／４濃度以上）となった場合には、測定された未処理の排ガスが分岐ダクト７に到達する前に電磁作動式ダンパ８が開けられるとともに、電磁作動式ダンパ９が閉じられ、未処理の排ガスを電磁作動式ダンパ８から放出する。このとき蓄熱燃焼式排ガス浄化装置１は、ダンパ１４を開いて外気を吸い込みながら、濃度測定計１２による測定の結果が所定の濃度以下になるまで待機運転することもできるし、アフターパージ運転実施後運転を停止するようにしてもよい。尚、本実施例では通常吸引する未処理の排ガス中に含まれる有害成分の濃度が濃いため、あらかじめダンパ１３より大気を取り込み蓄熱燃焼式排ガス浄化装置で処理できる濃度以下に希釈しているが、このダンパの開度調整は自動あるいは手動いずれの方法でもよく、また、通常吸引する濃度が蓄熱燃焼式排ガス浄化装置で処理できる濃度以下の場合には、希釈用の大気を取り込む必要がないため、ダンパ１３が不要となることは明白である。
【００１４】
【発明の効果】
以上の説明から明らかなように本発明は、揮発性有機化合物などの可燃性有害成分を含有する排ガスを燃焼処理するとともに燃焼処理によって発生した熱を前記排ガスの予備加熱に再利用する蓄熱燃焼式排ガス浄化装置の運転制御方法及び制御装置であって、未処理の前記排ガスの可燃性有害成分含有濃度が所定値より高い時にはこの排ガスを前記蓄熱燃焼式排ガス浄化装置に供給せずに大気中に放出するとともに蓄熱燃焼式排ガス浄化装置１は、ダンパ１４を開いて外気を吸い込みながら、濃度測定計１２による測定の結果が所定の濃度以下になるまで待機運転することもできるし、アフターパージ運転実施後運転を停止することも可能となるので、蓄熱燃焼式排ガス浄化装置を爆発の危険性なく安全に運転制御することができるなどの優れた実用的効果を奏する。
【図面の簡単な説明】
【図１】本発明の一実施例を示す模式図である。
【符号の説明】
１  蓄熱燃焼式酸化装置
３  未処理可燃性有害ガスの給排選別手段
【図１】
2004150681.tif 000003